(57)【要約】【課題】任意の送信元にアクセスさせた場合に映像切り替えをスムーズに行う。【解決手段】映像をディジタルエンコードし、ネットワーク１へ送信する少なくとも２つの送信装置２−１、２−２と、前記ネットワーク１に接続され、前記送信装置２−１、２−２にアクセスし、映像信号を受信する映像受信装置３と、前記映像受信装置３から出力される映像信号に基づく映像を表示するモニタ装置５と、前記映像受信装置３に対し、映像信号を取り込むべき送信装置のネットワークアドレスを与える指示装置４とを具備する。前記映像受信装置３には、他方のデコード部が出力している映像信号に自らがデコードする映像信号を同期させる同期手段３１Ａ、３２Ａを有するデコード部３１、３２が具備されている。【選択図】  図１
2004320172.tif 000002
【特許請求の範囲】
【請求項１】
映像をディジタルエンコードし、ネットワークへ送信する少なくとも２つの送信装置と、
前記ネットワークに接続され、前記送信装置にアクセスし、映像信号を受信する映像受信装置と、
前記映像受信装置から出力される映像信号に基づく映像を表示するモニタ装置と、
前記映像受信装置に対し、映像信号を取り込むべき送信装置のネットワークアドレスを与える指示装置とを具備する映像受信システムにおいて、
前記映像受信装置には、
映像信号を受信してデコードする２つのデコード部であって、他方のデコード部が出力している映像信号に自らがデコードする映像信号を同期させる同期手段を有するデコード部が具備されていることを特徴とする映像受信システム。
【請求項２】
前記デコード部から送られる同期完了の通知を受けて当該デコード部の出力を切替部を介して前記モニタ装置へ与えるように制御する制御部を具備することを特徴とする請求項１に記載の映像受信システム。
【請求項３】
前記制御部は、前記指示装置から与えられるネットワークアドレスを前記モニタ装置に対してそのときに出力を行っていない側のデコード部へ与えて映像信号の取得を行わせることを特徴とする請求項１に記載の映像受信システム。
【請求項４】
映像をディジタルエンコードし、ネットワークへ送信する少なくとも２つの送信装置と、前記ネットワークに接続され、前記送信装置にアクセスし、映像信号を受信する映像受信装置と、前記映像受信装置から出力される映像信号に基づく映像を表示するモニタ装置と、前記映像受信装置に対し、映像信号を取り込むべき送信装置のネットワークアドレスを与える指示装置とを具備する映像受信システムにおける前記映像受信装置において、
映像信号を受信してデコードする２つのデコード部であって、他方のデコード部が出力している映像信号に自らがデコードする映像信号を同期させる同期手段を有するデコード部を具備していることを特徴とする映像受信装置。
【請求項５】
前記デコード部から送られる同期完了の通知を受けて当該デコード部の出力を切替部を介して前記モニタ装置へ与えるように制御する制御部を具備することを特徴とする請求項４に記載の映像受信装置。
【請求項６】
前記制御部は、前記指示装置から与えられるネットワークアドレスをモニタ装置に対してそのときに出力を行っていない側のデコード部へ与えて映像信号の取得を行わせることを特徴とする請求項４に記載の映像受信装置。
【発明の詳細な説明】
【０００１】
【発明の属する技術分野】
この発明は、ネットワークを介して映像を受信する映像受信システム及びこのシステムに用いられる映像受信装置に関するものである。
【０００２】
【従来の技術】
従来、この種のシステムとしては、次のようなものが知られている。１つの映像表示機に対して複数の映像ソースを表示するために、映像を切り替えるように構成される。ここで、例えばＮＴＳＣ信号などのアナログ信号を切り替える場合にはビデオスイッチャーを用いた切り替えが行われる。
【０００３】
ビデオスイッチャーは、複数の映像信号を入力する入力部と、通常１個の出力部とを有し、外部から入出力選択信号を与えて映像ソースの切り替えを行う装置である。従って、従来のアナログ信号を用いた映像ソースの切り替えは、ビデオスイッチャーに対して入出力選択信号を与えることにより達成されていた。
【０００４】
上記に対し、近年、ＩＰネットワークを介して映像の受信選択を行うシステムが登場している。このシステムでは、映像受信装置が、映像切り替えの指示装置から映像送信元アドレスの指定を受け、これに基づき映像送信元へアクセスして映像の配信を受ける。これに応答して送信元においては、映像ソースをディジタルエンコードして映像受信装置へＩＰネットワークを介して配信を行う。
【０００５】
そこで映像受信装置が、映像切り替えの指示装置から映像ソースの切り替えを行うために映像送信元アドレスの指定を受けると、当該アドレスに基づき映像送信元へアクセスして映像の配信を受ける。これに応答して新たな送信元においては、映像ソースをディジタルエンコードして上記映像受信装置へＩＰネットワークを介して配信を行う。
【０００６】
上記のような従来システムとしては、特開平１１−１１２９６４号公報、特開２０００−３１６１２４号公報、特開２０００−３１６１４８号公報に示されたものを挙げることができる。
【０００７】
【発明が解決しようとする課題】
しかしながら、従来のシステムにあっては、指示装置から指示した任意の送信元にアクセスさせて映像の切り替えをスムーズに行うことができず、適切な映像信号のモニタを行うことができないという問題があった。
【０００８】
本発明は上記のような従来のシステムにおける問題点を解決せんとしてなされたもので、その目的は、指示装置からの指示により任意の送信元にアクセスさせた場合に映像の切り替えをスムーズに行うことが可能な映像受信システム及び映像送信装置を提供することである。
【０００９】
【課題を解決するための手段】
本発明に係る映像受信システムは、映像をディジタルエンコードし、ネットワークへ送信する少なくとも２つの送信装置と、前記ネットワークに接続され、前記送信装置にアクセスし、映像信号を受信する映像受信装置と、前記映像受信装置から出力される映像信号に基づく映像を表示するモニタ装置と、前記映像受信装置に対し、映像信号を取り込むべき送信装置のネットワークアドレスを与える指示装置とを具備する映像受信システムにおいて、前記映像受信装置には、映像信号を受信してデコードする２つのデコード部であって、他方のデコード部が出力している映像信号に自らがデコードする映像信号を同期させる同期手段を有するデコード部が具備されていることを特徴とする。
【００１０】
本発明に係る映像受信システムは、前記デコード部から送られる同期完了の通知を受けて当該デコード部の出力を切替部を介して前記モニタ装置へ与えるように制御する制御部を具備することを特徴とする。
【００１１】
本発明に係る映像受信システムでは、前記制御部は、前記指示装置から与えられるネットワークアドレスを前記モニタ装置に対してそのときに出力を行っていない側のデコード部へ与えて映像信号の取得を行わせることを特徴とする。
【００１２】
本発明に係る映像受信装置は、映像をディジタルエンコードし、ネットワークへ送信する少なくとも２つの送信装置と、前記ネットワークに接続され、前記送信装置にアクセスし、映像信号を受信する映像受信装置と、前記映像受信装置から出力される映像信号に基づく映像を表示するモニタ装置と、前記映像受信装置に対し、映像信号を取り込むべき送信装置のネットワークアドレスを与える指示装置とを具備する映像受信システムにおける前記映像受信装置において、映像信号を受信してデコードする２つのデコード部であって、他方のデコード部が出力している映像信号に自らがデコードする映像信号を同期させる同期手段を有するデコード部を具備していることを特徴とする。
【００１３】
本発明に係る映像受信装置は、前記デコード部から送られる同期完了の通知を受けて当該デコード部の出力を切替部を介して前記モニタ装置へ与えるように制御する制御部を具備することを特徴とする。
【００１４】
本発明に係る映像受信装置では、前記制御部は、前記指示装置から与えられるネットワークアドレスをモニタ装置に対してそのときに出力を行っていない側のデコード部へ与えて映像信号の取得を行わせることを特徴とする。
【００１５】
【発明の実施の形態】
以下添付図面を参照して、本発明に係る映像受信システム及び映像受信装置を説明する。図１には、本発明に係る映像受信システムの構成図が示されている。同図に示されるように、ネットワーク１に、送信装置２−１、２−２、映像受信装置３、指示装置４が接続されている。
【００１６】
映像受信装置３には、映像受信装置３から出力される映像信号に基づく映像を表示するモニタ装置５が接続されている。送信装置２−１、２−２には、被写体を撮像してアナログの映像信号を得るカメラ２１−１、２１−２と、このカメラ２１−１、２１−２から出力される映像信号をディジタルデータにエンコードするエンコーダ２２−１、２２−２が具備されている。
【００１７】
指示装置４は、映像受信装置３に対し、映像信号を取り込むべき送信装置のネットワークアドレスを与えるものであり、例えばパーソナルコンピュータなどにより構成されている。
【００１８】
映像受信装置３は、図２に示されるように構成されている。ネットワーク１には、制御部３０及びデコード部３１、３２が接続されている。デコード部３１、３２の出力は、切替部３３により一方が選択されてモニタ装置５へ送出される構成となっている。
【００１９】
デコード部３１、３２は、ネットワーク１を介してエンコードされた映像信号を受信してデコードするものであり、他方のデコード部が出力している映像信号に自らがデコードする映像信号を同期させる同期手段３１Ａ、３２Ａを備えている。同期手段３１Ａは同期手段３２Ａが出力している映像信号に同期する場合には、信号線Ｓ１からフレーム同期等を得て、これに同期するタイミングで自らの映像信号の出力を行い、同期が確立した場合には信号線Ｓ４を介して制御部３０へ同期確立通知を行う。一方、同期手段３２Ａは同期手段３１Ａが出力している映像信号に同期する場合には、信号線Ｓ２からフレーム同期等を得て、これに同期するタイミングで自らの映像信号の出力を行い、同期が確立した場合には信号線Ｓ６を介して制御部３０へ同期確立通知を行う。
【００２０】
上記同期確立通知を受けた場合には、制御部３０は、切替部３３へ制御信号を送って映像信号の切り替えを行う。また、ネットワーク１を介してネットワークアドレスを指示装置４から受け取ると、そのときに出力を行っていない側のデコード部へ与えて映像信号の取得を行わせる。つまり、ネットワークアドレスを受けたときにデコード部３１からの出力が切替部３３を介して出力されている場合にはネットワークアドレスをデコード部３２へ与えて映像信号の取得を行わせる一方、ネットワークアドレスを受けたときにデコード部３２からの出力が切替部３３を介して出力されている場合にはネットワークアドレスをデコード部３１へ与えて映像信号の取得を行わせる。
【００２１】
以上のように構成された映像受信システムにおいては、図３〜図５に示されるフローチャートに対応するプログラムに従って動作を行うので、このフローチャートを用いて動作説明を行う。指示装置４は、図３に示されるフローチャートに対応する処理を行う。つまり、指示装置４では、映像切替入力がなされるかを監視している（Ｓ１）。これは、パーソナルコンピュータにおけるキーボード等を用いて、いずれの送信装置（この例では、２つであるが）からの映像に切り換えるかが入力されるかを検出することに対応している。
【００２２】
ステップＳ１において映像切替入力がなされたことが検出されると、切替先の送信装置に対応するネットワークアドレスをメモリから取り出し、これを映像受信装置３へ送信する（Ｓ２）。
【００２３】
上記に対して、映像受信装置３の制御部３０は、図４に示されるフローチャートに対応する処理を行う。制御部３０は、ネットワーク１を介して指示装置４からネットワークアドレスが到来するのを検出している（Ｓ１１）。そこで、ネットワーク１を介して指示装置４からネットワークアドレスが到来した場合には、現在表示出力を行っていない側のデコード部へネットワークアドレスを与える（Ｓ１２）。例えば、最初にデコード部３１へネットワークアドレスを与えたとすると、このデコード部３１の識別情報を記憶しておき、次回にはデコード部３２へネットワークアドレスを与えると共にデコード部３１の識別情報を記憶しておき、更に次回に備えるようにする。
【００２４】
この図４のフローチャートに示すような制御部３０の動作に対して、デコード部３１、３２は、図５に示されるフローチャートに対応する処理を行う。デコード部３１、３２は、制御部３０からネットワークアドレスが到来するのを検出している（Ｓ２１）。そこで、ネットワークアドレスが到来した場合には、到来したネットワークアドレスを用いて送信装置２−１または送信装置２−２をアクセスする（Ｓ２２）。
【００２５】
これに対して、送信装置２−１または送信装置２−２の内のアクセスを受けた側では、得ている映像信号をディジタルエンコードして返送するので、これを受けたデコード部３１、３２は、映像信号を取り込んでデコードし（Ｓ２３）、同期手段３１Ａ、３２Ａにおいて同期制御を実行して（Ｓ２４）、同期確立となったのかを検出しながら（Ｓ２５）、同期制御を実行する（Ｓ２４）。ステップＳ２５において、同期確立が検出できると、つまり、他方の映像信号の出力に同期したタイミングで自らの映像信号を出力できるようになると、同期確立通知を制御部３０へ送出する（Ｓ２６）。
【００２６】
このようなデコード部３１、３２の動作に対応して、制御部３０は図４に示されるフローチャートのステップＳ１３において、同期確立通知の到来を待っており（Ｓ１３）、同期確立の通知があると切替部３３の経路を現在の経路から切り替えるように制御を行う（Ｓ１４）。この結果、モニタ装置５には、現在の映像から次の映像がとぎれることなく適切に切り替え表示される。
【００２７】
なお、上記のシステムでは、送信装置を２か所に設けたが３か所以上に設けても良い。
【００２８】
【発明の効果】
以上説明したように本発明によれば、映像受信装置には、映像信号を受信してデコードする２つのデコード部であって、他方のデコード部が出力している映像信号に自らがデコードする映像信号を同期させる同期手段を有するデコード部が具備されているので、指示装置から指示した任意の送信元にアクセスさせて映像の切り替えをスムーズに行うことが可能である。
【図面の簡単な説明】
【図１】本発明に係る映像受信システムの構成を示すブロック図。
【図２】本発明に係る映像受信システムの要部構成を示すブロック図。
【図３】本発明に係る映像受信システムの動作を説明するためのフローチャート。
【図４】本発明に係る映像受信システムの動作を説明するためのフローチャート。
【図５】本発明に係る映像受信システムの動作を説明するためのフローチャート。
【符号の説明】
１  ネットワーク
２−１、２−２  送信装置
３  映像受信装置
４  指示装置
５  モニタ装置
２１−１、２１−２  カメラ
２２−１、２２−２  エンコーダ
３０  制御装置
３１、３２  デコード部
３１Ａ、３２Ａ  同期手段
３３  切替部
【図１】
2004320172.tif 000003
【図２】
2004320172.tif 000004
【図３】
2004320172.tif 000005
【図４】
2004320172.tif 000006
【図５】
2004320172.tif 000007